(57)【要約】【課題】  構造が簡単で、着用者の口と接触することがないマスを提供することを課題とする。【解決手段】口、鼻の部分を被覆する本体と、凸部とを含んでなり、本体は透明部と、該透明部と一体に成形されるくもり部とを具えてなり、該透明部が上方に呼吸部を具えてなり、該呼吸部が本体の中央部分に位置し、本体の内側には開放式のポケットが形成され、着用者の鼻部を被覆するために便利で、凸部は、下あご部と嵌合部とを具えてなり、くもり部の内側に形成され、下あご部が着用者の下あごの表面におけるくもり部と嵌合する。【選択図】  図１
0003164118.tif 000002
【実用新案登録請求の範囲】
【請求項１】
口、鼻の部分を被覆する本体と、凸部とを含んでなり、
該本体は透明部と、該透明部と一体に成形されるくもり部とを具えてなり、該透明部が上方に呼吸部を具えてなり、該呼吸部が本体の中央部分に位置し、本体の内側には開放式のポケットが形成され、着用者の鼻部を被覆しで、
該凸部は、下あご部と嵌合部とを具えてなり、くもり部の内側に形成され、下あご部が着用者の下あごの表面におけるくもり部と嵌合することを特徴とするマスク。
【請求項２】
前記くもり部が、両端にフック状の端縁部を設け、調節ベルトを引っ掛けるために供し、マスクと着用者の頭部とを貼着する構造からなることを特徴とする請求項１に記載のマスク。
【請求項３】
前記透明部が、透明で弾性の材質からなり、着用時に顔の曲線に合わせることができる構造からなることを特徴とする請求項１に記載のマスク。
【請求項４】
前記くもり部が、くもった面で弾性の材質からなることを特徴とする請求項１に記載のマスク。
【請求項５】
前記嵌合部が、弾性で軟性の材質から形成され、着用者の下あご正面部分上にくもり部を近づけることができる構造からなることを特徴とする請求項１に記載のマスク。
【考案の詳細な説明】
【技術分野】
【０００１】
この考案は、マスクであって、特に飛沫感染など外部から口内に細菌が侵入することを防ぐために使用するマスクに関する。
【背景技術】
【０００２】
一般的によく知られているように、マスクは、飛沫感染を予防する最も基本的な医療用具である。
【０００３】
このため、医療関連施設、或いは食品関連業者などの多くは関係する職員にマスクを装着することを要求する。
【０００４】
また、一般の人々は自身が呼吸器の感染などの症状を感じている、或いは病院に入る場合の多くに自動的にマスクを装着して相互感染を防止している。
【０００５】
その他、作業現場、或いは粉塵、有害物質などが比較的多い環境では保護の目的で使用する場合や、或いは衛生面での基準を達成するために食品関連業界では作業者の不衛生な物質が食品を汚染することを防ぐために幅広くマスクの着用が行われている。
【０００６】
従来のマスクは、携帯者を保護するためか、或いは周囲の人々を保護するためにかかわらず、口と鼻を被覆するマスクの本体と、該本体の両側に固定して設けられた紐、或いはフックなどを設けて、耳たぶや頭部に弾性で支持する構造からなる。
【０００７】
または、従来のマスクはその多くが二種類の布から形成され、中間には防護層が設けられ、布の両側には使用者が装着するために供するゴムが設けられる。
【０００８】
マスクは、布及び防護層で飛沫物を防ぎ、吸着するため、衛生、保護する目的を達成することができる。
【０００９】
しかしながら、上述のマスクは口と鼻を直接被覆するか、或いは顔に緊密に貼着して装着するため、装着時に呼吸が困難になるか、呼吸し難いという問題が発生する。
【００１０】
また、女性が装着する場合には、口紅や化粧品の油脂などがマスクを汚染し、その他の問題が発生する可能性がある。
【００１１】
上述の原因により、周囲を保護するため、或いはマスクを使用しなければならない作業環境にある食品関連業者や配膳作業員がマスクを使用することを好まないため、衛生管理上問題がある。
【考案の開示】
【考案が解決しようとする課題】
【００１２】
この考案は、構造が簡単で、着用者の口と接触することがないマスクを提供することを課題とする。
【課題を解決するための手段】
【００１３】
そこで、本考案者は従来の技術に見られる欠点に鑑みて鋭意研究を重ねた結果、口、鼻の部分を被覆する本体と、凸部とを含んでなり、
該本体は透明部と、該透明部と一体に成形されるくもり部とを具えてなり、該透明部が上方に呼吸部を具えてなり、該呼吸部が本体の中央部分に位置し、本体の内側には開放式のポケットが形成され、着用者の鼻部を被覆するために便利で、
該凸部は、下あご部と嵌合部とを具えてなり、くもり部の内側に形成され、下あご部が着用者の下あごの表面におけるくもり部と嵌合するマスクによって課題を解決できる点に着眼し、かかる知見に基づいて本考案を完成させた。
【００１４】
以下、この考案について具体的に説明する。
請求項１に記載するマスクは、口、鼻の部分を被覆する本体と、凸部とを含んでなり、
該本体は透明部と、該透明部と一体に成形されるくもり部とを具えてなり、該透明部が上方に呼吸部を具えてなり、該呼吸部が本体の中央部分に位置し、本体の内側には開放式のポケットが形成され、着用者の鼻部を被覆するために便利で、
該凸部は、下あご部と嵌合部とを具えてなり、くもり部の内側に形成され、下あご部が着用者の下あごの表面におけるくもり部と嵌合する。
【００１５】
請求項２に記載のマスクは、請求項１におけるくもり部が、両端にフック状の端縁部を設け、調節ベルトを引っ掛けるために供し、マスクと着用者の頭部とを貼着するために便利な構造からなる。
【００１６】
請求項３に記載のマスクは、請求項１における透明部が、透明で弾性の材質からなり、着用時に顔の曲線に合わせる。
【００１７】
請求項４に記載のマスクは、請求項１におけるくもり部が、くもった面で弾性の材質からなる。
【００１８】
請求項５に記載のマスクは、請求項１における嵌合部が、弾性で軟性の材質から形成され、着用者の下あご正面部分上にくもり部を近づけた状態に設けることができる構造からなる。
【考案の効果】
【００１９】
この考案のマスクは、着用者の口と接触しないため、何度も使用することができるとともに、構造が簡単で生産コストを抑えることができるという効果を有する。
【考案を実施するための最良の形態】
【００２０】
この考案は、構造が簡単で、着用者の口と接触することがないマスクであって、口、鼻の部分を被覆する本体と、凸部とを含んでなり、
該本体は透明部と、該透明部と一体に成形されるくもり部とを具えてなり、該透明部が上方に呼吸部を具えてなり、該呼吸部が本体の中央部分に位置し、本体の内側には開放式のポケットが形成され、着用者の鼻部を被覆するために便利で、
該凸部は、下あご部と嵌合部とを具えてなり、くもり部の内側に形成され、下あご部が着用者の下あごの表面におけるくもり部と嵌合するマスクの構造と特徴を詳述するために具体的な実施例を挙げ、図示を参照にして以下に説明する。
【実施例】
【００２１】
図１、図２は、この考案のマスクを示した説明図である。
【００２２】
この考案のマスク１００は、口、鼻の部分を被覆する本体１１０と、凸部１２０とを含んでなる。
【００２３】
該本体１１０は、透明部１１０Ａと、透明部１１０Ａと一体に成形されたくもり部１１０Ｂとを具えてなる。
【００２４】
該透明部１１０Ａは、上方に呼吸部１１０Ｃを具えてなり、透明部１１０Ａ本体は透明な弾性の材質から形成される。
【００２５】
くもり部１１０Ｂは、くもった面の弾性の材質から形成されているため、着用時に顔の曲線に合わせてフィットさせることができる。
【００２６】
上述の呼吸部１１０Ｃは、本体１１０の中央部分に位置し、本体１１０の内側には開放式のポケットが形成され、着用者の鼻の部分を被覆するために便利で、呼吸をし易くする。
【００２７】
上述のくもり部１１０Ｂは両端がフック状端縁部１１０Ｄが設けられ、調節ベルト１３０を引っ掛けてマスク１００を着用者の頭部に貼着するために便利である。
【００２８】
上述の凸部１２０は、下あご部１２０Ａと、嵌合部１２０Ｂとを含んでなる。
【００２９】
該凸部１２０はくもり部１１０Ｂの内側に形成される。
【００３０】
また、嵌合部１２０Ｂは、弾性で軟性の材質から形成されるため、着用者の下あごの正面部分上にくもり部１１０Ｂを近づけた状態に設けることができ、マスクと着用者の口とが直接接触することを防ぐことができる。
【００３１】
下あご部１２０Ａはくもり部１１０Ｂに嵌合して着用者の下あご正面下にもうけるため、本体１１０が滑動することを防ぐことができる。
【００３２】
図２は、この考案のマスクを着用した状態を示した説明図である。
【００３３】
図面によれば、マスク１００を着用する場合、くもり部１１０Ｂの両端に設けられた調節ベルト１３０を耳にかけて、本体１１０を着用者の口、鼻部分に向けて、呼吸部１１０Ｃを着用者の鼻部に合わせて調節し、開放式のポケットが着用者の鼻を完全に被覆するように設ける。
【００３４】
凸部１２０の嵌合部１２０Ｂを着用者の下あご正面上に近づけて、凸部１２０の下あご部１２０Ａを着用者の下あごの正面下に固定する。
【００３５】
この考案のマスクは、呼吸部１１０Ｃ及び開放式のポケットが着用時の呼吸を便利にする。
【００３６】
また、嵌合部１２０Ｂはマスクと口とが直接接触することを避けるために便利で、マスクが汚染されることを防ぐ目的を達成する。
【００３７】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３８】
【図１】この考案のマスクを示した斜視図である。
【図２】この考案のマスクを着用した状態を示した説明図である。
【符号の説明】
【００３９】
１００       マスク
１１０       本体
１１０Ａ     透明部
１１０Ｂ     くもり部
１１０Ｃ     呼吸部
１１０Ｄ     フック状端縁部
１２０       凸部
１２０Ａ     下あご部
１２０Ｂ     嵌合部
１３０       ベルト
【図１】
0003164118.tif 000003
【図２】
0003164118.tif 000004